(57)【要約】【課題】  椅子フレームに織布シート２を容易且つ確実になし得るようにする。【解決手段】  椅子フレーム１の背当て支持フレーム１１と座面支持フレーム１２の各上枠近傍に上下一対の支持杆１５を配置する一方、平面Ｔ字状をなす織布シート２の水平部位と垂直部位の端部に長寸筒部２１を縫製によって形成し、該織布シート２の椅子フレーム１に対する装着を、椅子フレーム１の外側から各長寸筒部２１を内側に挿通し、これら長寸筒部２１に、上下一対の支持杆１５の空隙より径大に形成した係止杆３を挿入し、上下一対の支持杆１５に対して長寸筒部２１を係止することによって行う。係止杆３の抜き差しによって織布シート２の取り外しと再装着ができる。【選択図】  図１
2012070977.tif 000002
【特許請求の範囲】
【請求項１】
椅子フレームと、該椅子フレームに椅子面を形成するように装着した平面Ｔ字状にしてその水平部位長手方向両端と垂直部位長手方向先端にそれぞれ小径の長寸筒部を配置した織布シートを備え、該織布シートの上記椅子フレームに対する装着を、椅子フレームの後方上位及び側方下位の３方向に向けてそれぞれ配置した上下一対の支持杆間の空隙に上記織布シートの各長寸筒部を挿通し、該長寸筒部に該上下一対の支持杆間の空隙寸法より径大の係止杆を挿入し、椅子フレームの内側において織布シートの各長寸筒部を係止して行ってなることを特徴とする椅子。
【請求項２】
上記織布シートの水平部位によって椅子面の座面を、垂直部位によって椅子面の背もたれ面を形成してなることを特徴とする請求項１に記載の椅子。
【請求項３】
上記織布シートの水平部位によって椅子面の座面及び該座面から上方に向けた左右のアームレストカバー面を形成してなることを特徴とする請求項１又は２に記載の椅子。
【請求項４】
上記織布シートの長寸筒部の長手方向一端を閉塞し且つ係止杆挿入側の開口に係止杆の抜止め措置を施してなることを特徴とする請求項１、２又は３に記載の椅子。
【発明の詳細な説明】
【技術分野】
【０００１】
本発明は椅子に関し、好適に使用し得るようにした椅子に関する。
【背景技術】
【０００２】
この種の椅子として、例えば、下記特許文献１のものは、折畳み自在の椅子フレームと、該椅子フレームに椅子面を形成するように装着した平面長方形にして、その一端に被嵌袋部を、中間と他端に引掛け固定部を配置した織布シートを備え、該織布シートの上記椅子フレームに対する装着を、椅子フレームの後方に起立配置した一対の支柱を被嵌袋部の幅方向両端で被嵌して背当て部を形成し、中間と他端の引掛け固定部を、椅子フレームの座面に配置した多数箇所の固定具に引掛け固定することによって行ったものとされている。
【先行技術文献】
【特許文献】
【０００３】
【特許文献１】特許第３６９０３１０号公報
【発明の概要】
【発明が解決しようとする課題】
【０００４】
この場合、椅子フレームに織布シートによる座面と背当て面を形成することができるとともに織布シートの確実な装着をなし得るから、椅子としての使い勝手を確保し且つ安定した使用ができるものと認められる。しかし乍ら、織布シートの交換、洗浄等のために、椅子フレームからの該織布シートの取り外しや椅子フレームへの再装着を行うには、座面における多数箇所の引掛固定箇所の固定解除を行った後、一対の支柱から被嵌袋部を引き抜いて、その取り外しを行う一方、逆に一対の支柱に被嵌袋部を被嵌した後、上記引掛固定箇所の固定を行う必要があり、従って該織布シートの取り外し、再装着が煩雑化する可能性があり、これらを必ずしも容易になし得るとはいい難い。
【０００５】
本発明はかかる事情に鑑みてなされたもので、その解決課題とするところは、織布シートの椅子フレームへの装着を確実になし得るとともに椅子フレームからの取り外しや再装着を可及的容易になし得るようにした椅子を提供するにある。
【課題を解決するための手段】
【０００６】
上記課題に沿って本発明は、織布シートを平面Ｔ字状に形成するとともにその水平部位の長手方向両端、垂直部位の長手方向先端にそれぞれ係止杆を受け入れる長寸筒部を形成し、該長寸筒部を、椅子フレームに配置した３箇所の上下一対の支持杆の間に形成される空隙に挿通し、椅子フレームの内側において該空隙より径大の係止杆を上記長寸筒部に挿入することによって、椅子フレームの内側３箇所において平面Ｔ字状の織布シートの端部を固定するようにして、椅子フレームに織布シートを装着する一方、係止杆を引き抜くことによって織布シートの固定解除をなし得るようにして、該織布シートの椅子フレームへの装着を確実に行うとともに係止杆の取り外しや再装着を可及的容易になし得るようにし且つ椅子フレームに対して安定且つ強固にして外観よく固定配置した織布シートの椅子面を形成し得るようにしたものであって、即ち、請求項１に記載の発明を、椅子フレームと、該椅子フレームに椅子面を形成するように装着した平面Ｔ字状にしてその水平部位長手方向両端と垂直部位長手方向先端にそれぞれ小径の長寸筒部を配置した織布シートを備え、該織布シートの上記椅子フレームに対する装着を、椅子フレームの後方上位及び側方下位の３方向に向けてそれぞれ配置した上下一対の支持杆間の空隙に上記織布シートの各長寸筒部を挿通し、該長寸筒部に該上下一対の支持杆間の空隙寸法より径大の係止杆を挿入し、椅子フレームの内側において織布シートの各長寸筒部を係止して行ってなることを特徴とする椅子としたものである。
【０００７】
請求項２に記載の発明は、上記に加えて、上記椅子面を、座面と背もたれ面によって形成することによって、例えば、地面乃至床面に据置き使用するハンモック状の椅子とし得るように、これを、上記織布シートの水平部位によって椅子面の座面を、垂直部位によって椅子面の背もたれ面を形成してなることを特徴とする請求項１に記載の椅子としたものである。
【０００８】
請求項３に記載の発明は、同じく上記に加えて、上記椅子面を、上記座面とその両側に形成したアームレストカバー面及び上記背もたれ面によって形成することによって、例えばディレクターチェア状の椅子とし得るように、これを、上記織布シートの水平部位によって椅子面の座面及び該座面から上方に向けた左右のアームレストカバー面を形成してなることを特徴とする請求項１又は２に記載の椅子としたものである。
【０００９】
請求項４に記載の発明は、同じく上記に加えて、上記織布シートの長寸筒部から係止杆が脱落することによる椅子使用者の転倒等の危険を確実に防止し、常に安全且つ安定した使用をなし得るものとするように、これを、上記織布シートの長寸筒部の長手方向一端を閉塞し且つ係止杆挿入側の開口に係止杆の抜止め措置を施してなることを特徴とする請求項１、２又は３に記載の椅子としたものである。
【００１０】
本発明はこれらをそれぞれ発明の要旨として上記課題解決の手段としたものである。
【発明の効果】
【００１１】
本発明は以上のとおりに構成したから、請求項１に記載の発明は、織布シートを平面Ｔ字状に形成するとともにその水平部位の長手方向両端、垂直部位の長手方向先端にそれぞれ係止杆を受け入れる長寸筒部を形成し、該長寸筒部を、椅子フレームに配置した３箇所の上下一対の支持杆の間に形成される空隙に挿通し、椅子フレームの内側において該空隙より径大の係止杆を上記長寸筒部に挿入することによって、椅子フレームの内側３箇所において平面Ｔ字状の織布シートの端部を固定するようにして、椅子フレームに織布シートを装着する一方、係止杆を引き抜くことによって織布シートの固定解除をなし得るようにして、該織布シートの椅子フレームへの装着を確実に行うとともに係止杆の取り外しや再装着を可及的容易になし得るようにし且つ椅子フレームに対して安定且つ強固にして外観よく固定配置した織布シートの椅子面を形成し得るようにした椅子を提供することができる。
【００１２】
請求項２に記載の発明は、上記に加えて、上記椅子面を、座面と背もたれ面によって形成することによって、例えば、地面乃至床面に据置き使用するハンモック状の椅子とすることができる。
【００１３】
請求項３に記載の発明は、同じく上記に加えて、上記椅子面を、上記座面とその両側に形成したアームレストカバー面及び上記背もたれ面によって形成することによって、例えばディレクターチェア状の椅子とすることができる。
【００１４】
請求項４に記載の発明は、同じく上記に加えて、上記織布シートの長寸筒部から係止杆が脱落することによる椅子使用者の転倒等の危険を確実に防止し、常に安全且つ安定した使用をなし得るものとすることができる。
【図面の簡単な説明】
【００１５】
【図１】椅子の斜視図である。
【図２】椅子フレームの正面図である。
【図３】椅子フレームの右側面図である。
【図４】椅子フレームの斜視図である。
【図５】織布シートの平面図である。
【図６】支持杆、長寸筒部及び係止杆の関係を示す縦断面図である。
【図７】長寸筒部の抜止め措置を示す側面図である。
【発明を実施するための形態】
【００１６】
以下図面の例に従って本発明を更に具体的に説明すれば、Ａは、地面乃至床面に据置きするようにハンモック状に形成した椅子、即ち、ハンモックチェアであり、該椅子Ａは、椅子フレーム１と、該椅子フレーム１に椅子面を形成するように装着した平面Ｔ字状の織布シート２を備えたものとして形成してあり、該織布シート２は、その水平部位長手方向両端と垂直部位長手方向先端にそれぞれ小径の長寸筒部２１を配置してあり、該織布シート２の上記椅子フレーム１に対する装着は、これを、椅子フレーム１の後方上位及び側方下位の３方向に向けてそれぞれ配置した上下一対の支持杆１５間の空隙に上記織布シート２の各長寸筒部２１を挿通し、該長寸筒部２１に該上下一対の支持杆１５間の空隙寸法より径大の係止杆３を挿入し、椅子フレーム１の内側において織布シート２の各長寸筒部２１を係止して行ったものとしてあり、このとき、上記織布シート２の水平部位によって椅子面の座面を、垂直部位によって椅子面の背もたれ面を形成したものとしてある。
【００１７】
本例にあって椅子フレーム１は、中実又は中空の金属製、本例にあっては、２ｃｍ程度の太さの中空の断面円形乃至矩形の鋼材を溶着固定して形成し、地面乃至床面に据え置くことによって安定した自立性を有する、例えば平面６角形の台形状をなす形態のものとしてあり、本例にあって該椅子フレーム１は、図４に示すように、下向きコ字状に起立した後端単一の背当て支持フレーム１１、該背当て支持フレーム１１の１／２程度の高さに同じく下向きコ字状に起立した両端一対の座面支持フレーム１２、該背当て支持フレーム１１と各座面支持フレーム１２を側面で結ぶ上下各一対の側面連結材１３及び座面支持フレーム１２同士を正面で結ぶ下端の正面連結材１４を備えた、例えば、高さを背当て支持フレーム１１において８５ｃｍ、座面支持フレーム１２において５０ｃｍ、正面幅を４５ｃｍ、奥行きを６０ｃｍ程度としたものとしてある。
【００１８】
このとき上記椅子フレーム１の後方上位と側方下位、即ち、上記後端単一の背当て支持フレーム１１と両端一対の座面支持フレーム１２の各上枠の下位には、背当て支持フレーム１１において横向き方向に水平、座面支持フレーム１２において前後方向に水平な各上下一対の支持杆１５を、それぞれ支持フレーム１１、１２内を上下に区画するように介設してある。該上下に一対の支持杆１５は１〜２ｃｍ程度、本例にあっては１．５ｃｍ程度の空隙を介してそれぞれ平行に配置してあり、該一対の支持杆１５を配置することによって、後述のように該一対の支持杆１５を、上記織布シート２を装着するための椅子フレーム１側の固定部位とするものとしてある。
【００１９】
織布シート２は、合成繊維、例えばポリエステル繊維を織成することによって形成した帆布生地、ダブルラッセル生地等の厚手のシートによって、平面Ｔ字状をなすように所定の切断加工や縫製を施して形成したものとしてあり、本例にあって該織布シート２は、その水平部位と垂直部位間を曲面で連結するようにＲ面として、該織布シート２を椅子面として用いるに際して該織布シート２に対する荷重を分散して亀裂発生の可能性を招くことのないようにしてある。該織布シート２には、その平面Ｔ字状の形状における水平部位長手方向両端と垂直部位長手方向先端の３箇所に、生地を端部で三つ折りして縫製を加えることによって、小径、本例にあってはその内径を、例えば１．５〜２．５ｃｍ程度、本例にあっては２ｃｍ程度とした、上記係止杆挿入用の長寸筒部２１を、該水平部位の端部及び垂直部位の端部長手方向に沿って一連に形成してある。このとき、本例の上記織布シート２の長寸筒部２１は、その長手方向一端を閉塞し且つ係止杆３挿入側の開口に係止杆３の抜止め措置を施したものとしてあり、本例にあって該長寸筒部２１の長手方向一端の閉塞は、上記水平部位の両端において後端を縫製することによって、垂直部位の先端においてその左右一端を縫製することによって、これを行ってあり、また、上記抜止め措置は、上記閉塞した後端乃至左右一端と逆の、平面Ｔ字状の形状における水平部位の前端乃至左右他端に、長寸筒部の開口を横断するように伸縮自在の帯材２２、例えばゴムひもの両端を縫製固定することによって、これを行ったものとしてある。
【００２０】
係止杆３は、例えば断面円形にして木製、合成樹脂製又は金属製にして、上記長寸筒部２１の長さ、即ち、織布シート２の上記水平部位、垂直部位の端部長さより幾分短寸化した、例えば２５ｃｍ程度の長さにして長寸のバー材によって形成したものとしてあり、本例にあって該係止杆３は、上記各一対の支持杆１５の空隙、即ち、１〜２ｃｍ程度より径大にして、１．５〜２．５ｃｍ程度の長寸筒部２１より径小の径を有するものとしてあり、本例にあって該外径は、これを、２ｃｍ弱、例えば１．８ｃｍ程度としてある。
【００２１】
このように形成した椅子フレーム１、織布シート２、長寸筒部２１の数に応じた３本の係止杆３によって上記椅子Ａを形成してある。即ち、椅子フレーム１の背当て支持フレーム１１に、上記平面Ｔ字状の垂直部位を、両端一対の座面支持フレーム１２に平面Ｔ字状の水平部位をそれぞれ宛がうように、織布シート２を半折状として椅子フレーム１に逆Ｔ字状をなすように配置し、背当て支持フレーム１１の上枠に上記垂直部位を、座面支持フレーム１２の上枠に上記水平部位の各端部を被せ、該端部の各長寸筒部２１を、圧縮して薄肉化するようにして、背当て支持フレーム１１及び各座面支持フレーム１２の外側からそれぞれ上下一対の支持杆１５間の空隙に挿通し、各長寸筒部２１を椅子フレーム１の内側に突出し、各長寸筒部２１に対してその開口、即ち、係止杆挿入側の開口から上記係止杆３をそれぞれ挿入し、挿入後に伸縮自在の帯材２２によって係止杆３の後端を引掛状に押えて抜止めを行うようにして、椅子フレーム１に織布シート２を装着し、椅子Ａを形成するものとしてある。
【００２２】
このように椅子フレーム１に織布シート２を装着することによって、上記係止杆３は、上下一対の支持杆１５間の空隙寸法より径大としたから、該係止杆３が椅子フレーム１の内側にあって各長寸筒部２１を突出した状態で上下一対の支持杆１５に係止する結果、織布シート２は、これを、上記後方単一の背当て支持フレーム１１、これに交差する両端一対の座面支持フレーム１２、即ち、椅子フレーム１の後方上位及び側方下位の３方向に向けた状態で、上記平面Ｔ字状の垂直部位と水平部位の端部３箇所を固定して、水平部位による座面と垂直部位による背もたれ面の椅子面を形成することができる。このとき、該織布シート２は、垂直部位と水平部位を半折状とするも、その固定は上記椅子フレーム１の後方上位と側方下位の３箇所で行うから、椅子Ａは、その座り方によって織布シート２が馴染むように変位して、良好な座り心地を確保したものとすることができる。また、係止杆３の抜き差しによって織布シート２の装着や取り外しとその再装着を容易且つ確実になし得るから、必要に応じて織布シート２を洗濯すること、互換的に椅子フレーム１に装着自在とした複数乃至多数の織布シート２を備えるものとして、その中から、適宜の織布シート２を選択使用し又は交換使用することが可能となり、使い勝手のよい椅子Ａとすることができる。
【００２３】
図示した例は以上のとおりとしたが、上記織布シートの水平部位によって椅子面の座面及び該座面から上方に向けた左右のアームレストカバー面を形成したものとして、椅子をディレクターチェア状のものとすること、このとき、上記織布シートの水平部位の長さを長くする一方、上記座面支持フレームの高さを更に高くするように、該座面支持フレームに代えてアームレストフレームを配置し、その上下一対の支持杆に同様に係止杆によって長寸筒部を係止することによって、座面から立ち上げたアームレストカバー面を配置するようにすること、椅子フレームを折畳み自在のものとすること等を含めて、本発明の実施に当って、椅子フレーム、上下一対の支持杆、織布シート、長寸筒部、係止杆、必要に応じて用いるアームレストカバー面、抜止め措置等の各具体的構造、形状、材質、これらの関係、これらに対する付加等は、上記発明の要旨に反しない限り様々な形態のものとすることができる。
【符号の説明】
【００２４】
Ａ  椅子
1  椅子フレーム
１１  背当て支持フレーム
１２  座面支持フレーム
１３  側面連結材
１４  正面連結材
１５  上下一対の支持杆
２  織布シート
２１  長寸筒部
２２  帯材
３  係止杆
【図１】
2012070977.tif 000003
【図２】
2012070977.tif 000004
【図３】
2012070977.tif 000005
【図４】
2012070977.tif 000006
【図５】
2012070977.tif 000007
【図６】
2012070977.tif 000008
【図７】
2012070977.tif 000009